(57)【要約】【課題】音程を正確にとるための基準位置を確実に提示することが可能な擦弦楽器を提供すること。【解決手段】バイオリン１は、ネック９と、ネック９に取り付けられた指板１１とを備える。指板１１又はネック９は、音階の基本位置を示すマーク１３，１５Ａ，１５Ｂ，１７，１９を有する。【選択図】図１
2017173569.tif 000002
【特許請求の範囲】
【請求項１】
ネックと、
前記ネックに取り付けられた指板とを備え、
前記指板又は前記ネックは、音階の基本位置を示すマークを有することを特徴とする擦弦楽器。
【請求項２】
前記マークは、凸状物であることを特徴とする請求項１に記載の擦弦楽器。
【請求項３】
前記マークは、前記指板の側面に設けられたことを特徴とする請求項１又は請求項２に記載の擦弦楽器。
【請求項４】
前記マークは、前記ネックの裏面に設けられたことを特徴とする請求項１又は請求項２に記載の擦弦楽器。
【請求項５】
前記マークは、前記指板又は前記ネックに設けられた凹部に樹脂を載せたものであることを特徴とする請求項２記載の擦弦楽器。
【請求項６】
前記樹脂は、固形分１００％であることを特徴とする請求項５に記載の擦弦楽器。
【請求項７】
前記樹脂は、エポキシ、ポリエステル、又はアクリルであることを特徴とする請求項６に記載の擦弦楽器。
【発明の詳細な説明】
【技術分野】
【０００１】
本発明は、フレットがない指板を有する擦弦楽器に関するものである。
【背景技術】
【０００２】
従来より、擦弦楽器の指板にはフレットがなく、音程を自由にとることが可能であることから、音程を正確にとって擦弦楽器を演奏するにはそれ相応な練習を必要とする。そこで、演奏練習の観点から、擦弦楽器に関する技術が種々提案されている。
【０００３】
例えば、特許文献１に記載された弦楽器用着脱式フレットは、以下（１）乃至（３）のような構造に成っている。（１）この演奏補助具を構成するシートの厚さは、弦楽器の弦と指板の間に挿入でき、この演奏補助具を弦楽器に装着して指板上の上駒の近傍で擦弦したとき、弦が振動でシートの表面に接触すると生じるビビリ音が発生しない厚さとする。（２）この演奏補助具の表面に、点字状外観のつぶで構成されるフレットを加工して、このフレットの形状はビブラート奏法や曲に華やかさを加える奏法（例えば装飾音等）に支障とはならず、指先の触覚と視覚の両方で知覚できる形にする。（３）この演奏補助具の表面に加工するフレットは、正しい音程の指位置を示す機能を備えており、１２平均律やピタゴラス律および純正律の１２の主音（ハ、ト、ニ、イ、…、ヘ、変ロ、変ホ、…）別の長短音階別で、それぞれ別のシートに加工される。
【０００４】
特許文献２に記載された指板は、ナットと、ブリッジと、ナットおよびブリッジにより支持された複数の弦とを備えた弦楽器に関するものである。指板は、弦の下に位置する頂面と、弦と略平行をなす長手方向の軸線とを有している。複数の立ち上がり演奏領域は、指板の正確な指押え点に対応するように指板に配置されている。各立ち上がり演奏領域は、指板の長手方向の軸線と略平行する幅を有している。各立ち上がり演奏領域は、指板の頂面の上方に高さを有している。各立ち上がり演奏領域の幅は楽器を演奏する演奏者の指先が立ち上がり演奏領域において弦の１つを押えることができるように十分な大きさに形成され、指先は立ち上がり演奏領域の幅と交差する所定の位置において弦のうちの１つの弦の振動の端点を選択的に画定することができる。
【０００５】
特許文献３に記載された弦楽器のトレーニング器は、本体の端部に回転又は旋回可能に指板案内体を備えており、前記指板案内体にガイドされて指板を往復移動させてトレーニングを行う。指板案内体を傾ける事ができるようにしたので、指、手、腕を、各弦の演奏に適した正しいフォームが形成でき、又トレーニングの繰り返しによって指、手、腕の各部関節を柔らかくすることができる。そして、余裕のある構えで演奏する事ができるようになり、指を自在に正確にコントロールできるようになる。
【先行技術文献】
【特許文献】
【０００６】
【特許文献１】特開２０１４−１３９６３７号公報
【特許文献２】特許第３８５０４５５号公報
【特許文献３】特許第４９８８９０６号公報
【発明の概要】
【発明が解決しようとする課題】
【０００７】
しかしながら、特許文献１に記載された弦楽器用着脱式フレットは、弦楽器の指板に跨る形で固定し着脱できるようにしたり、あるいは、弦楽器の上駒側のネックと指板および駒側の指板の両端で巻き付け固定し着脱できるようにしており、弦とフレットの間での相対的位置に誤差が生じ易く、あるいは、制作者・メーカーの相違による寸法差に対応することができず、音程を正確にとるための擦弦楽器の演奏練習には不向きであった。
【０００８】
また、特許文献２に記載された指板では、各立ち上がり演奏領域が、弦の出す音の高さを変えるための仕組みの一部を構成し、音程を固定するフレットと同様な機能を果たしている。従って、特許文献２に記載された指板は、擦弦楽器が音程を自由にとることが可能であることの観点からすれば、音程を正確にとるための擦弦楽器の演奏練習には不向きであった。この点は、特許文献１に記載された弦楽器用着脱式フレットでも同様である。
【０００９】
さらに、特許文献３に記載された弦楽器のトレーニング器は、バイオリンを弾く腕、手、指の形態の移動又は実際のバイオリンを弾いている時の肘の移動がスムーズにできるようにするためのものであって、音程を正確にとるための擦弦楽器の演奏練習には不向きであった。
【００１０】
本発明は、上述した点を鑑みてなされたものであり、音程を正確にとるための基準位置を確実に提示することが可能な擦弦楽器を提供することを目的とする。
【課題を解決するための手段】
【００１１】
この課題を解決するためになされた請求項１に係る発明は、擦弦楽器であって、ネックと、ネックに取り付けられた指板とを備え、指板又はネックは、音階の基本位置を示すマークを有することを特徴とする。請求項１に係る発明の擦弦楽器では、音階の基本位置を示すマークが擦弦楽器そのもの（指板又はネック）に付けられる。マークは、凸状物、凹状物、及び印刷物等があり、指板の側面又はネックの裏面等に設けられる。マークは、指板の装飾として設けられてもよい。
【００１２】
請求項２に係る発明は、請求項１に記載の擦弦楽器であって、マークは、凸状物であることを特徴とする。請求項２に係る発明の擦弦楽器では、マークが凸状物であることから、奏者は音程を正確にとるための基準位置をマークの触感で確実に認識することが可能である。
【００１３】
請求項３に係る発明は、請求項１又は請求項２に記載の擦弦楽器であって、マークは、指板の側面に設けられたことを特徴とする。請求項３に係る発明の擦弦楽器では、マークが指板の側面に設けられたことから、演奏時の左手親指の位置を提示することが可能である。さらに、マークは、正確な音程を得るための正しい指（左手の人指し指・中指・薬指・小指）の配置を決めるための目印にもなる。そのような目印に基づいて、指板にシールを貼ったり、指板に鉛筆等で線等を書くことによって、正確な音程を得るための正しい指（左手の人指し指・中指・薬指・小指）の位置を示すことができる。
【００１４】
請求項４に係る発明は、請求項１又は請求項２に記載の擦弦楽器であって、ネックの裏面に設けられたことを特徴とする。請求項４に係る発明の擦弦楽器では、マークはネックの裏面に設けられたことから、演奏時の左手親指の位置を提示することが可能である。
【００１５】
請求項５に係る発明は、請求項２記載の擦弦楽器であって、マークは、指板又ネックに設けられた凹部に樹脂を載せたものであることを特徴とする。請求項５に係る発明の擦弦楽器では、指板又ネックに設けられた凹部に樹脂を載せてマークが作られるので、耐久性が高い。
【００１６】
請求項６に係る発明は、請求項５に記載の擦弦楽器であって、樹脂は、固形分１００％であることを特徴とする。請求項６に係る発明の擦弦楽器では、固形分１００％の樹脂が使われているので、マークの凸状を確実に形成することが可能である、
【００１７】
請求項７に係る発明は、請求項６に記載の擦弦楽器であって、樹脂は、エポキシ、ポリエステル、又はアクリルであることを特徴とする。請求項７に係る発明の擦弦楽器のように、マークを作る樹脂の種類としては、エポキシ、ポリエステル、又はアクリルが好ましい。
【発明の効果】
【００１８】
本発明に係る擦弦楽器では、音程を正確にとるための基準位置をマークで確実に提示することが可能である。
【図面の簡単な説明】
【００１９】
【図１】第１実施形態のバイオリンを表した側面図である。
【図２】（ａ）は、図１のＺ−Ｚ線に沿って切断された同バイオリンの指板（樹脂滴下前の状態）の一部を表した断面図である。（ｂ）は、図１のＺ−Ｚ線に沿って切断された同バイオリンの指板（樹脂滴下後の状態）の一部を表した断面図である。
【図３】図２（ｂ）に対する比較例を表した断面図である。
【図４】第２実施形態のチェロを表した裏面図である。
【発明を実施するための形態】
【００２０】
以下、本発明の擦弦楽器について、具体化した本実施形態に基づき、図面を参照しつつ説明する。本実施形態では、本発明の擦弦楽器として、第１実施形態のバイオリンと第２実施形態のチェロを説明する。尚、以下の説明に用いる図１及び図４では、擦弦楽器の基本的構成の一部が省略されて描かれている。
【００２１】
［１．第１実施形態］
先ず、第１実施形態のバイオリンについて説明する。図１に表すように、第１実施形態のバイオリン１は、表板３、側板５、裏板７、ネック９、指板１１、及び複数のマーク１３，１５Ａ，１５Ｂ，１７，１９等で構成されている。指板１１は、表面１１Ａと側面１１Ｂ等を有し、図１視左側のネック９の先端側でネック９に接合され、図１視右側のネック９の根本側（バイオリン１の胴体側）で表板３上に突き出している。尚、図１では、第１実施形態のバイオリン１の基本的構成の一部が省略されて描かれている。
【００２２】
各マーク１３，１５Ａ，１５Ｂ，１７，１９は、指板１１の側面１１Ｂにおいて、バイオリン１の、第１ポジション、第２ポジション（２箇所）、第３ポジション、第４ポジションに該当する位置(つまり演奏時のポジション移動時の基本位置)にそれぞれ設けられている。
【００２３】
従って、第１実施形態のバイオリン１では、そのような位置を示す各マーク１３，１５Ａ，１５Ｂ，１７，１９がバイオリン１そのもの（つまり、指板１１）に付けられているので、音程を正確にとるための基準位置を各マーク１３，１５Ａ，１５Ｂ，１７，１９で確実に提示することが可能である。
【００２４】
各マーク１３，１５Ａ，１５Ｂ，１７，１９は、直径２ｍｍ程度の円形の凸状物であり、後述する樹脂埋めによる製法で指板１１の側面１１Ｂに設けられている。
【００２５】
従って、第１実施形態のバイオリン１では、各マーク１３，１５Ａ，１５Ｂ，１７，１９が凸状物であることから、奏者は音程を正確にとるための基準位置を各マーク１３，１５Ａ，１５Ｂ，１７，１９に触れた感触で確実に認識することが可能である。
【００２６】
また、奏者は、左肩に乗せたバイオリン１の表板３に顎を当て、バイオリン１の下方で左腕の肘を曲げながら、左手の親指の腹と人差し指の付け根で指板１１の両側をネック９の下から軽く挟んで、バイオリン１を構える。左手の親指の腹は、指板１１の側面１１Ｂに触れており、演奏が開始されると、指板１１の側面１１Ｂ上をスライド移動する。この点、第１実施形態のバイオリン１では、各マーク１３，１５Ａ，１５Ｂ，１７，１９が指板１１の側面１１Ｂに設けられることから、演奏時の左手の親指の基準位置を提示することが可能である。
【００２７】
このようにして、演奏時のポジション移動（同じ弦上で音程の上り下りをする際に、弦方向に左手や左手の指を移動させること）時における左手の親指の位置を提示することにより、親指以外の左手の指の配置位置が決まりやすくなる。
【００２８】
ところで、各マーク１３，１５Ａ，１５Ｂ，１７，１９は、上述したように、主要なポジション位置を示している。具体的に言えば、マーク１３は第１ポジションの位置を示し、マーク１５Ａ，１５Ｂは第２ポジションの位置を示し、マーク１７は第３ポジションの位置を示し、マーク１９は第４ポジションの位置を示している。これに加えて、各マーク１３，１５Ｂ，１７，１９の位置は、多くの初心者が最初に覚える開放弦の音を主音とする音階、例えば、その開放弦をＡ線とする場合には、イ長調（Ａ−ｄｕｒ）のＢ（シ）、Ｃｉｓ（ド♯）、Ｄ（レ）、Ｅ（ミ）の音階位置も含んでいる。
【００２９】
従って、各マーク１３，１５Ａ，１５Ｂ，１７，１９は、各ポジションでの正確な音程を得るための左手の親指以外の指（左手の人指し指・中指・薬指・小指）の正しい位置を決めるための目印ともなる。
【００３０】
そのような目印に基づいて、指板１１の表面１１Ａにシールを貼ったり、指板１１の表面１１Ａに鉛筆等で線等を書けば、シール等と各弦との交差箇所によって、各ポジションにおける正確な音程を得るための正しい指（左手の人指し指・中指・薬指・小指）の位置を示すことができる。
【００３１】
この点は、各マーク１３，１５Ａ，１５Ｂ，１７，１９が、指板１１の側面１１Ｂに代えて、指板１１の表面１１Ａ上の縁に設けられる場合、ネック９の側面に設けられる場合、又はネック９の背面に設けられる場合も同様である。
【００３２】
また、各マーク１３，１５Ａ，１５Ｂ，１７，１９は、ポジション移動時において、奏者の左手の親指が置かれる位置の指標にすることができる。さらに、各マーク１３，１５Ａ，１５Ｂ，１７は、奏者が左手の親指の腹を指板１１の側面１１Ｂ上で滑らせることにより、奏者は凸状の触感で認識することができるので、ポジション移動時のガイドにすることができる。従って、奏者は、各マーク１３，１５Ａ，１５Ｂ，１７，１９を目視する必要がないので、演奏姿勢が崩れることがない。
【００３３】
次に、上述した樹脂埋めによる製法について、マーク１３が例示された図２（ａ）（ｂ）を用いて説明する。尚、以下の説明は、マーク１３以外の各マーク１５Ａ，１５Ｂ，１７，１９の取付においても同様である。
【００３４】
先ず、図２（ａ）に表すように、直径２ｍｍ程度の半球状にくり抜かれた取付穴２１が、ボールエンドミル等の穴加工によって、指板１１の側面１１Ｂに設けられる。次に、液状の樹脂が取付穴２１に滴下され、その後に液状の樹脂が固化されることにより、図２（ｂ）に表すように、円形の凸状物のマーク１３が作られる。
【００３５】
液状の樹脂は、取付穴２１に滴下されるので、取付穴２１（指板１１の側面１１Ｂ）から凸状に盛り上がった状態で安定する。液状の樹脂は、その安定した状態で固化される。液状の樹脂には、エポキシ、ポリエステル、又はアクリル等の固形分１００％のものが使用される。
【００３６】
ちなみに、ウレタン塗料は、固形分が２０％と低く、凸状に固化しないため、液状の樹脂として好ましくない。さらに、一般の塗料や接着剤は、シンナーが５０％以上含まれているものが殆どであり、樹脂残分が少なく、凸状に固化しないため、液状の樹脂として好ましくない。
【００３７】
マーク１３が取付穴２１に埋められた液状の樹脂の固化により指板１１に設けられると、以下のメリットがある。一般に、指板１１は、黒檀等の木材を材料とするので、乾湿により変形する。例えば、温度と湿度が高いと、木材が膨張するので、いわゆる指板下がりの現象が起こり、指板１１は、図１視右側のネック９の根本側（バイオリン１の胴体側）が表板３に向かって反ってしまうことがある。このようにして、指板１１が変形すると、マーク１３（固化樹脂）と指板１１の境界で剪断力が図１視で上下方向に発生する。その剪断力は、環境変化により、繰り返し発生する。
【００３８】
本実施形態とは異なり、指板１１の側面１１Ｂに対して取付穴２１を設けることなく、図３に表すように、液状の樹脂が指板１１の側面１１Ｂに直接に盛られた場合（比較例）では、マーク１３（固化樹脂）と指板１１の境界で繰り返し発生する剪断力によって、マーク１３（固化樹脂）が指板１１から剥がれる虞がある。なぜなら、マーク１３（固化樹脂）が設けられた指板１１の側面１１Ｂは、剪断力が作用するマーク１３（固化樹脂）を引っ掛けて支えることが困難な平らな面であるからである。
【００３９】
これに対して、本実施形態では、上記場合（比較例）と比べると、樹脂が指板１１に接触する面積が取付穴２１によって大きくなり、指板１１に対するマーク１３（固化樹脂）の接着力が増加するので、指板１１に対するマーク１３（固化樹脂）の密着度が上がる。また、マーク１３（固化樹脂）と指板１１の境界が広がるので、マーク１３（固化樹脂）と指板１１の境界で繰り返し発生する剪断力が分散する。さらに、取付穴２１は、剪断力が作用するマーク１３（固化樹脂）を引っ掛けて支えることが可能である。従って、マーク１３は、取付穴２１に埋められた液状の樹脂の固化により指板１１に設けられると、高い耐久性能が発揮される。
【００４０】
このように耐久性能が高い各マーク１３，１５Ａ，１５Ｂ，１７，１９は、指板１１の側面１１Ｂに凸状にそれぞれ設けられている。その指板１１の側面１１Ｂでは、上述したように、演奏時に奏者の左手の親指の腹が触れながら移動する。よって、各マーク１３，１５Ａ，１５Ｂ，１７，１９は、演奏時のポジション移動の際に奏者の左手から図１視で左右方向の衝撃を受け易いが、高い耐久性能によって長く持ちこたえることができる。
【００４１】
ちなみに、第１実施形態において、バイオリン１は、「擦弦楽器」の一例である。取付穴２１は、「凹部」の一例である。
【００４２】
尚、本発明は上記実施形態に限定されるものでなく、その趣旨を逸脱しない範囲で様々な変更が可能である。
例えば、第１実施形態の擦弦楽器は、バイオリン１に代え、ビオラであってもよい。
【００４３】
また、各マーク１３，１５Ａ，１５Ｂ，１７，１９は、円形に限るものでなく、多角形や線形状等であってもよい。また、凹形状又は印刷物等でもよく、指板１１の表面１１Ａ上の縁等に設けることで指板１１の装飾として用いてもよい。
【００４４】
［２．第２実施形態］
次に、第２実施形態のチェロについて説明する。図４に表すように、第２実施形態のチェロ１０１は、裏板１０３、側板１０５、エンドピン１０７、ネック１０９、指板１１１、及び複数のマーク１１３，１１５Ａ，１１５Ｂ，１１７，１１９等で構成されている。指板１１１は、ネック１０９に接合される。尚、図４では、第２実施形態のチェロ１０１の基本的構成の一部が省略されて描かれている。
【００４５】
各マーク１１３，１１５Ａ，１１５Ｂ，１１７，１１９は、ネック１０９の裏面において、チェロ１０１の、第１ポジション、第２ポジション（２箇所）、第３ポジション、第４ポジションに該当する位置(つまり演奏時のポジション移動時の基本位置)にそれぞれ設けられている。
【００４６】
従って、第２実施形態のチェロ１０１では、そのような位置を示す各マーク１１３，１１５Ａ，１１５Ｂ，１１７，１１９がチェロ１０１そのもの（つまり、ネック１０９）に付けられているので、音程を正確にとるための基準位置を各マーク１１３，１１５Ａ，１１５Ｂ，１１７，１１９で確実に提示することが可能である。
【００４７】
各マーク１１３，１１５Ａ，１１５Ｂ，１１７，１１９は、第１実施形態の各マーク１３，１５Ａ，１５Ｂ，１７，１９と同様な形状及び大きさであり、第１実施形態の各マーク１３，１５Ａ，１５Ｂ，１７，１９と同様な製法でネック１０９の裏面に設けられている。
【００４８】
従って、第２実施形態のチェロ１０１では、各マーク１１３，１１５Ａ，１１５Ｂ，１１７，１１９が凸状物であることから、奏者は音程を正確にとるための基準位置を各マーク１１３，１１５Ａ，１１５Ｂ，１１７，１１９に触れた感触で確実に認識することが可能である。
【００４９】
また、奏者は、チェロ１０１の胴体を左右の脚の間に置き、ネック１０９が奏者から見て顔の左側にくるようにし、左手の親指の腹をネック１０９の裏面中央に添え、左手の他の指を各弦に乗せて、チェロ１０１を構える。左手の親指の腹は、ネック１０９の裏面に触れており、演奏が開始されると、ネック１０９の裏面上をスライド移動する。この点、第２実施形態のチェロ１０１では、各マーク１１３，１１５Ａ，１１５Ｂ，１１７，１１９がネック１０９の裏面に設けられることから、演奏時の左手の親指の基準位置を提示することが可能である。
【００５０】
このようにして、演奏時のポジション移動（同じ弦上で音程の上り下りをする際に、弦方向に左手や左手の指を移動させること）時における左手の親指の位置を提示することにより、親指以外の左手の指の配置位置が決まりやすくなる。
【００５１】
また、各マーク１１３，１１５Ａ，１１５Ｂ，１１７，１１９は、第１実施形態の各マーク１３，１５Ａ，１５Ｂ，１７，１９と同様にして耐久性が高く、ネック１０９の裏面に凸状にそれぞれ設けられている。そのネック１０９の裏面は、演奏時に奏者の左手の親指の腹が触れながら移動する面である。よって、各マーク１１３，１１５Ａ，１１５Ｂ，１１７，１１９は、演奏時のポジション移動の際に奏者の左手から図４視で上下方向の衝撃を受け易いが、高い耐久性能によって長く持ちこたえることができる。
【００５２】
ちなみに、第２実施形態において、チェロ１０１は、「擦弦楽器」の一例である。
【００５３】
尚、本発明は上記実施形態に限定されるものでなく、その趣旨を逸脱しない範囲で様々な変更が可能である。
例えば、第２実施形態の擦弦楽器は、チェロ１０１に代え、コントラバスであってもよい。
【００５４】
また、各マーク１１３，１１５Ａ，１１５Ｂ，１１７，１１９は、円形に限るものでなく、多角形や線形状等であってもよい。また、凹形状又は印刷物等でもよい。
【符号の説明】
【００５５】
１  バイオリン
９  ネック
１１  指板
１１Ｂ  指板の側面
１３，１５Ａ，１５Ｂ，１７，１９  マーク
２１  凹部
１０１  チェロ
１０９  ネック
１１１  指板
１１３，１１５Ａ，１１５Ｂ，１１７，１１９  マーク
【図１】
2017173569.tif 000003
【図２】
2017173569.tif 000004
【図３】
2017173569.tif 000005
【図４】
2017173569.tif 000006